(57)【要約】  照明装置（１０）は、外部のソケット（８０）に着脱可能に取り付けられ、そのソケット（８０）から電力を受け取る受電部（２１）と、受電部（２１）から供給される電力を用いて所定の動作を実行する機能部の一例であるスピーカ装置（３０）と、発光部（５０）とを備える。発光部（５０）は、前方から見た場合におけるスピーカ装置（３０）の外形に沿ってスピーカ装置（３０）を囲むように配置されており、受電部（２１）から供給される電力を用いて照明光を出射する。発光部（５０）の前端部は、前後方向において、スピーカ装置（３０）よりも前方に位置している。
2019167625.tif 000002
【特許請求の範囲】
【請求項１】
前方に照明光を出射する照明装置であって、
外部の給電器具に着脱可能に取り付けられる、前記給電器具から電力を受け取る受電部と、
前記受電部から供給される電力を用いて所定の動作を実行する機能部と、
前記前方から見た場合における前記機能部の外形に沿って前記機能部を囲むように配置され、前記受電部から供給される電力を用いて前記照明光を出射する発光部とを備え、
前記発光部の前端部は、前後方向において、前記機能部よりも前記前方に位置している、
照明装置。
【請求項２】
前記前方から見た場合、前記機能部は円形であり、前記発光部は円環状である、
請求項１記載の照明装置。
【請求項３】
前記発光部は、前記機能部の外形に沿う形状の導光板と、前記導光板の後方の端面に対向して配置された複数の発光素子とを有する、
請求項１または２記載の照明装置。
【請求項４】
前記発光部の前記前端部である前記導光板の前端部における端面の少なくとも一部は、前記前後方向に対して傾いて形成されている、
請求項３記載の照明装置。
【請求項５】
前記導光板は、前記前方に向かうに従って外側に広がる湾曲部と、前記湾曲部と接続され、前記前後方向と交差する方向に広がる発光面を形成する前面部とを有する、
請求項３記載の照明装置。
【請求項６】
前記発光部は、前記機能部の外形に沿う形状の光源カバーと、前記光源カバーに覆われた複数の発光素子とを有し、
前記光源カバーは、前記発光部の前端部を形成する前面部であって、前記複数の発光素子から離間して配置され、前記複数の発光素子からの光を透過させる前面部を有する、
請求項１または２記載の照明装置。
【請求項７】
前記光源カバーは、前記機能部とは反対側の側壁を形成する側壁部であって、前記複数の発光素子からの光の少なくとも一部を反射して前記前面部に導く側壁部を有する、
請求項６記載の照明装置。
【請求項８】
前記光源カバーは、前記機能部とは反対側の側壁を形成する側壁部であって、前記複数の発光素子からの光の少なくとも一部を透過させる側壁部を有する、
請求項６記載の照明装置。
【請求項９】
前記機能部は、周囲の状況を検出するセンサ装置、音を発するスピーカ装置、及び、イオン発生器のいずれかである、
請求項１〜８のいずれか一項に記載の照明装置。
【発明の詳細な説明】
【技術分野】
【０００１】
本発明は、所定の動作を実行する機能部を備える照明装置に関する。
【背景技術】
【０００２】
従来、例えばスピーカ装置等の、所定の動作を実行する機能部を備える照明装置が存在する。例えば、特許文献１には、光源と、光源の光出射方向とは反対側に配置されたスピーカユニットと、光源及びスピーカユニットを収納する器具本体を備える照明器具が開示されている。
【先行技術文献】
【特許文献】
【０００３】
【特許文献１】特開２０１７−１８２９６３号公報
【発明の概要】
【発明が解決しようとする課題】
【０００４】
上記従来の照明器具のように、スピーカユニット等の機能部が、光源の光出射方向とは反対側に配置された照明装置では、例えば、光源から出射される照明光が機能部によって遮蔽されることが防止される。しかしながら、その一方で、照明装置の前後方向（光出射方向に平行な方向）におけるサイズを小さくすることが困難である。【０００５】
本発明は、上記従来の課題を考慮し、所定の動作を実行する機能部を備える照明装置であって、小型化が可能な照明装置を提供することを目的とする。
【課題を解決するための手段】
【０００６】
上記課題を解決するために、本発明の一態様に係る照明装置は、前方に照明光を出射する照明装置であって、外部の給電器具に着脱可能に取り付けられる、前記給電器具から電力を受け取る受電部と、前記受電部から供給される電力を用いて所定の動作を実行する機能部と、前記前方から見た場合における前記機能部の外形に沿って前記機能部を囲むように配置され、前記受電部から供給される電力を用いて前記照明光を出射する発光部とを備え、前記発光部の前端部は、前後方向において、前記機能部よりも前記前方に位置している。
【発明の効果】
【０００７】
本発明の一態様に係る照明装置によれば、所定の動作を実行する機能部を備え、かつ、小型化が可能である。
【図面の簡単な説明】
【０００８】
【図１】図１は、実施の形態に係る照明装置の外観を示す第１の斜視図である。
【図２】図２は、実施の形態に係る照明装置の外観を示す第２の斜視図である。
【図３】図３は、実施の形態に係る照明装置の分解斜視図である。
【図４】図４は、実施の形態に係る照明装置の構成概要を示す正面図である。
【図５】図５は、実施の形態に係る照明装置の構成概要を示す断面図である。
【図６】図６は、実施の形態の変形例１に係る照明装置の構成概要を示す断面図である。
【図７】図７は、実施の形態の変形例２に係る照明装置の構成概要を示す断面図である。
【図８】図８は、実施の形態の変形例３に係る照明装置の構成概要を示す断面図である。
【図９】図９は、実施の形態の変形例４に係る照明装置の構成概要を示す部分断面図である。
【発明を実施するための形態】
【０００９】
以下、本発明の実施の形態及びその変形例について説明する。なお、以下に説明する実施の形態及び変形例は、いずれも本発明の一具体例を示すものである。したがって、以下の実施の形態及び変形例で示される、数値、形状、材料、構成要素、及び、構成要素の配置位置や接続形態などは、一例であって本発明を限定する主旨ではない。よって、以下の実施の形態及び変形例における構成要素のうち、本発明の最上位概念を示す独立請求項に記載されていない構成要素については、任意の構成要素として説明される。
【００１０】
また、各図は模式図であり、必ずしも厳密に図示されたものではない。なお、各図において、実質的に同一の構成に対しては同一の符号を付しており、重複する説明は省略又は簡略化する場合がある。また、図面においては、発光素子など、同一の機能を有しかつ複数設けられる構造または部材については、１つの構造または部材にのみ符号が付されている場合がある。
【００１１】
さらに、以下の実施の形態及び変形例において、平行及び直交などの、２つの方向の相対的な姿勢を示す表現が用いられる場合があるが、これらの表現は、厳密にはその姿勢ではない場合も含む。例えば、２つの方向が平行である、という場合、特に断りのない限り、当該２つの方向が完全に平行であることを意味するだけでなく、実質的に平行であること、すなわち、例えば数％程度の差異を含むことも意味する。
【００１２】
（実施の形態）
以下、実施の形態に係る照明装置について説明する。
【００１３】
［１−１．照明装置の全体構成］
まず、図１〜図３を参照しながら、実施の形態に係る照明装置１０の全体構成について説明する。図１は、実施の形態に係る照明装置１０の外観を示す第１の斜視図である。図２は、実施の形態に係る照明装置１０の外観を示す第２の斜視図である。具体的には、図１は、照明装置１０を斜め前方から見た場合の斜視図であり、図２は、照明装置１０を斜め後方から見た場合の斜視図である。なお、「前方」は、照明光の出射方向であり、「後方」はその逆方向である。つまり、本実施の形態では、「前方」は、Ｚ軸プラス方向であり、「後方」は、Ｚ軸マイナス方向である。
【００１４】
図３は、実施の形態に係る照明装置１０の分解斜視図である。なお、図３では、照明装置１０の構成概要の説明に必要な要素のみが図示されており、例えば受電部２１と基板２５とを接続するリード線等の他の要素の図示は省略されている。このことは、後述する図５〜図８についても適用される。
【００１５】
本実施の形態に係る照明装置１０は、例えば住宅等の建物の天井９０（図３参照）に設置され、照明装置１０の前方の空間、つまり、天井９０の下方の空間を照明するための照明装置であり、例えばダウンシーリングライトと呼ばれる。なお、図３における上方（Ｚ軸のプラスの方向）が、天井９０に対向する床面（図示せず）の方向に相当する。つまり、図３における照明装置１０は、通常の使用時とは上下が逆の姿勢で図示されている。
【００１６】
図１〜図３に示すように、照明装置１０は、本体部２０、スピーカ装置３０及び発光部５０を備える。本体部２０は、スピーカ装置３０及び発光部５０を保持する部材であり、外部の給電器具から供給される電力を受け取る受電部２１を有している。受電部２１は、給電器具に着脱可能に取り付けることができる。具体的には、本実施の形態に係る受電部２１は、ＧＸ５３口金の構造を有しており、より詳細には、電力の供給を受け取るための一対のランプピン２２を含んでいる。この一対のランプピン２２が、天井９０に埋設されたソケット８０の一対の給電孔８２に一対のランプピン２２が挿入され係合することで、給電器具の一例であるソケット８０に取り付けられる。つまり、受電部２１は、ソケット８０から電力を受ける状態となり、かつ、照明装置１０が、ソケット８０に固定される。また、一対のランプピン２２が一対の給電孔８２との係合が解除され抜き出されることで、照明装置１０はソケット８０から取り外される。
【００１７】
なお、受電部２１が、ＧＸ５３口金の構造であることは必須ではなく、天井等の構造物に設けられたソケットから電力を受けるとことが可能であり、かつ、当該ソケットに対して着脱可能な構造であればよい。例えば、受電部２１は、Ｅ２６口金などのスクリュー口金であってもよい。但し、スクリュー口金は、例えばスピーカ装置３０の振動により緩むことも考えられるため、スピーカ装置３０を備える照明装置１０が備える受電部２１としては、ラッチ機構を有するソケットに取り付けられるＧＸ５３口金の方が適していると言える。すなわち、本実施の形態において、受電部２１は、外部の給電機器に挿入されて係合するランプピンであって、給電機器と電気的に接続されるランプピンを有する。これにより、受電部２１は、給電機器に対して機械的及び電気的に接続され、かつ、例えば振動に起因する、受電部２１の給電機器に対する緩みの発生が抑制される。
【００１８】
また、本実施の形態では、ソケット８０は、照明装置１０の厚み方向（Ｚ軸方向）の一部のみを収容可能なサイズ及び形状であるが、例えば、照明装置１０の全体を収容可能なサイズ及び形状であってもよい。
【００１９】
このように構成された照明装置１０において、スピーカ装置３０及び発光部５０のそれぞれは、受電部２１から供給される電力で動作する。以下、本実施の形態に係るスピーカ装置３０及び発光部５０それぞれの構成について、上述の図３に加え、図４及び図５を用いて説明する。
【００２０】
［１−２．スピーカ装置］
図４は、実施の形態に係る照明装置１０の構成概要を示す正面図である。図５は、実施の形態に係る照明装置１０の構成概要を示す断面図である。なお、図５では、図４に示すＶ−Ｖ線における断面が簡易化して図示されており、スピーカユニット３３、スピーカ駆動回路３４、無線通信部３５、及び、点灯回路５４については、点線で模式的に表されている。
【００２１】
図４に示すように、照明装置１０を前方から見た場合において、スピーカ装置３０は、照明装置１０の中央部に位置する円形の装置であり、かつ、周囲には発光部５０が配置されている。スピーカ装置３０は、機能部の一例であり、受電部２１から供給された電力により所定の動作を行う。
【００２２】
より具体的には、スピーカ装置３０は、図３及び図５に示すように、スピーカケース３１と、スピーカケース３１に収容されたスピーカユニット３３と、スピーカケース３１の前面開口を塞ぐように配置されたフロントパネル３２と、スピーカ駆動回路３４と、無線通信部３５とを備える。スピーカ駆動回路３４及び無線通信部３５は、受電部２１から供給される電力により動作する。
【００２３】
無線通信部３５は、例えば、ブルートゥース（登録商標）、Ｗｉ−Ｆｉ（登録商標）、またはＺｉｇＢｅｅ（登録商標）などの所定の規格に従って通信する装置である。無線通信部３５は、例えば外部の装置（スマートフォン、タブレット、パーソナルコンピュータ、またはオーディオプレイヤーなど）から送信される音楽または音声等の信号を受信する。スピーカ駆動回路３４は、当該信号に応じてスピーカユニット３３を駆動する。これにより、外部の装置から送信される音楽または音声等がスピーカユニット３３から出力される。スピーカユニット３３の前方に位置するフロントパネル３２には、音楽または音声等の音を放出するための音孔が複数形成されており、スピーカユニット３３から出力された音は、フロントパネル３２を介して照明装置１０を前方に放出される。その結果、例えば、天井に配置された照明装置１０の下方の空間に存在するユーザは、スピーカ装置３０から出力される音楽または音声等を聞くことができる。
【００２４】
本実施の形態では、スピーカ駆動回路３４は、基板２５に配置された複数の回路部品により形成されており、かつ、基板２５の一部は、発光部５０の一部として使用されている。具体的には、図３に示すように、基板２５の前側の主面（Ｚ軸プラス側の面）の中央部は、スピーカ駆動回路３４が配置される第一領域２５ａとして使用され、第一領域２５ａを囲む第二領域２５ｂは、複数の発光素子５２が配置される領域として使用されている。
【００２５】
なお、基板２５は、例えば、樹脂材料を基材とする基板である。基板２５は、金属材料を基材するメタルベース基板またはセラミック材料を基材とするセラミック基板であってもよい。また、基板２５は、リジッド基板には限定されず、基板２５は、例えば、ポリイミド等を基材とするフレキシブル基板であってもよい。
【００２６】
また、本実施の形態において、基板２５は円盤形状であるが、例えば、円環状（リング状）の基板を、複数の発光素子２２等の部品を配置する基板として採用してもよい。この場合、スピーカユニット３３の背面側の空間と、照明装置１０の本体部２０の内部空間とが、基板の中央の開口部を介して連続する。そのため、例えば、本体部２０を、スピーカユニット３３の音質を向上させるためのエンクロージャーとして機能させることもできる。また、本体部２０の内部空間に、スピーカユニット３３から出力される音に共鳴する部材などの、スピーカユニット３３の音質を向上または変化させる部材を配置してもよい。
【００２７】
また、スピーカ装置３０は、例えば、スマートスピーカまたはＡＩ（Ａｒｔｉｆｉｃｉａｌ  Ｉｎｔｅｌｌｉｇｅｎｃｅ）スピーカと呼ばれる装置であってもよい。つまり、スピーカ装置３０は、例えば、ユーザが発する音声に従って、インターネットを介して情報を取得し、取得した情報を読み上げる（スピーカユニット３３から音声として出力する）機能を有してもよい。また、スピーカ装置３０は、例えば、ユーザが発する音声に従って、周囲の家電機器の動作を制御する機能を有してもよい。すなわち、スピーカ装置３０は、音声を取得するマイクロフォン、及び、ＣＰＵ（Ｃｅｎｔｒａｌ  Ｐｒｏｃｅｓｓｉｎｇ  Ｕｎｉｔ）及びメモリ等を有するコンピュータを備えてもよく、この場合、所定のプログラムを実行することで、対話型の音声操作による各種の処理が実現されてもよい。
【００２８】
［１−３．発光部］
発光部５０は、複数の発光素子５２を有する発光モジュールである。具体的には、発光部５０は、図３及び図５に示すように、複数の発光素子５２によって構成される光源部５１と、光源部５１の前方に配置された導光板５５とを有する。本実施の形態では、複数の発光素子５２は、基板２５の第二領域２５ｂにおいて環状に並んで配置されており、点灯回路５４から供給される電力によって発光する。なお、複数の発光素子５２は、基板２５とは別体の基板に配置されてもよい。
【００２９】
複数の発光素子５２のそれぞれは、例えば、白色光を発するＳＭＤ（Ｓｕｒｆａｃｅ  Ｍｏｕｎｔ  Ｄｅｖｉｃｅ）型のＬＥＤ（ｌｉｇｈｔ  ｅｍｉｔｔｉｎｇ  ｄｉｏｄｅ）素子である。発光素子５２は、凹部を有するパッケージと、パッケージの凹部底面に実装されたＬＥＤチップと、パッケージの凹部に充填され、ＬＥＤチップを封止する封止部材とを有する。ＬＥＤチップは、例えば、青色光を発する青色ＬＥＤチップであり、封止部材は、例えば、波長変換材料としてイットリウム・アルミニウム・ガーネット（ＹＡＧ）系の黄色蛍光体粒子を含むシリコーン樹脂である。
【００３０】
点灯回路５４は、例えば、基板２５の裏面側（Ｚ軸マイナス側）に配置された複数の回路部品（図示せず）により形成されており、受電部２１を介して受け取った電力を、複数の発光素子５２に応じた特性の電力に変換して複数の発光素子５２に供給する。これにより、複数の発光素子５２は発光する。また、点灯回路５４は、例えばリモコン等の端末装置から無線通信または有線通信を介して送信される制御信号に従って複数の発光素子５２を制御し、これにより、複数の発光素子５２の点灯及び消灯等の発光動作を制御する。
【００３１】
なお、点灯回路５４は、複数の発光素子５２を有する光源部５１の調光制御または調色制御を行ってもよい。また、点灯回路５４は、基板２５とは別体の基板に配置された複数の回路部品によって形成されてもよく、さらに、照明装置１０とは別体の筐体に収容されていてもよい。また、点灯回路５４が、端末装置との間で制御信号等をやり取りするために無線通信部３５を利用してもよい。つまり、無線通信部３５は、スピーカ装置３０及び発光部５０で共用されてもよい。
【００３２】
また、図５では、スピーカ駆動回路３４と点灯回路５４とが別々に図示されているが、これら回路は、完全に区分される必要はなく、これら２つの回路は、当該２つの回路の機能を有する１つの制御回路として照明装置１０に備えられてもよい。
【００３３】
また、本実施の形態において、導光板５５は、例えば、透光性が比較的に高い樹脂またはガラス等の材料により形成された光学部材である。本実施の形態では、導光板５５は、照明装置１０の外部から、導光板５５を介して、スピーカ装置３０のスピーカケース３１及びフロントパネル３２が視認可能な程度の透明性を有している。なお、導光板５５は、例えば、光拡散材を含有することで、または、シボ加工等の表面処理により、光拡散性を有することもできる。
【００３４】
本実施の形態に係る導光板５５は、図４に示すように、前方から見た場合におけるスピーカ装置３０の外形に沿う形状を有している。つまり、導光板５５は、円形のスピーカ装置３０の外形に沿う円環状である。また、導光板５５の後方の端面（Ｚ軸マイナス側の端面）に対向する位置に、複数の発光素子５２が配置されており、導光板５５の前端部（Ｚ軸プラス側の端部）は、前後方向（Ｚ軸方向）において、スピーカ装置３０よりも前方に位置している。つまり、導光板５５は、スピーカ装置３０の前面（フロントパネル３２の前方側の面）よりも後方に位置する光源部５１からの光を、スピーカ装置３０よりも前方まで導いて放出することができる。
【００３５】
また、図５に示すように、本実施の形態では、導光板５５の前端部における端面５６の一部は、前後方向（Ｚ軸方向）に対して傾いて形成されている。簡単に言うと、導光板５５の端面５６は斜めにカットされた形状を有している。これにより、例えば、導光板５５から放出される光の配光制御がなされる。なお、図５では、導光板５５の端面５６の一部のみが、前後方向に対して傾いて形成されているが、端面５６の全体が前後方向に対して傾いて形成されていてもよい。
【００３６】
［２．効果など］
以上、説明したように、本実施の形態に係る照明装置１０は、前方に照明光を出射する照明装置１０であって、外部のソケット８０に着脱可能に取り付けられる、ソケット８０から電力を受け取る受電部２１と、受電部２１から供給される電力を用いて所定の動作を実行する機能部であるスピーカ装置３０と、発光部５０とを備える。発光部５０は、前方から見た場合におけるスピーカ装置３０の外形に沿ってスピーカ装置３０を囲むように配置されており、受電部２１から供給される電力を用いて照明光を出射する。発光部５０の前端部は、前後方向において、スピーカ装置３０よりも前方に位置している。
【００３７】
この構成によれば、照明装置１０を前方から見た場合、スピーカ装置３０と発光部５０とが横方向で隣り合う位置に配置される。これにより、例えば、発光部とスピーカ装置３０とを前後方向に並べる場合と比較すると、照明装置１０の厚みを薄くすることができる。また、前方から見た場合において、発光部５０における照明光の出射部分とスピーカ装置３０とが横並びであったとしても、その出射部分の前端部が、スピーカ装置３０よりも前方に位置するため、発光部５０から出射される照明光が、スピーカ装置３０に妨げられることがない。さらに、発光部５０は、スピーカ装置３０を囲むように配置されるため、例えば、天井に取り付けられた照明装置１０を見上げた場合に、発光機能を持たないスピーカ装置３０が暗く見える可能性が低減される。すなわち、外観上、照明装置１０における暗部が形成され難い。
【００３８】
このように、本実施の形態に係る照明装置１０によれば、所定の動作を実行する機能部としてのスピーカ装置３０を備え、かつ、小型化が可能である。
【００３９】
また、本実施の形態に係る照明装置１０において、前方から見た場合、スピーカ装置３０は円形であり、発光部５０は円環状である。
【００４０】
つまり、照明装置１０は、照明光の出射方向から見た場合に、円環状の発光部５０の中央部に円形のスピーカ装置３０が備えられた構造を有している。そのため、例えば、ソケット８０に照明装置１０に取り付けた場合に、照明装置１０のＺ軸まわりの回転位置を気にすることなく取り付けることができる。言い換えると、照明装置１０をＺ軸まわりに回転させた場合であっても、照明装置１０の見た目は、回転前の状態と略同一である。また、円環状の発光部５０から放射状に照明光が放出されるため、照明装置１０のＺ軸まわりに回転させた場合であっても、照明光の放出範囲は、回転前の放出範囲とほぼ同一である。従って、例えば、ソケット８０における一対の給電孔８２がどのような回転位置に配置されているかによらず、照明光の放出範囲を変えることなく照明装置１０を取り付けることができる。つまり、本実施の形態に係る照明装置１０は、小型化が可能であって、かつ、取り付け対象となるソケットの選択範囲が広いと言える。
【００４１】
また、本実施の形態に係る照明装置１０において、発光部５０は、スピーカ装置３０の外形に沿う形状の導光板５５と、導光板５５の後方の端面に対向して配置された複数の発光素子５２とを有する。
【００４２】
このように、本実施の形態では、複数の発光素子５２からの光を、導光板５５によって、スピーカ装置３０よりも前方に導く構造を有している。これにより、例えば、導光板５５の、前後方向の長さを調整することで、スピーカ装置３０の厚み（Ｚ軸方向の幅）に応じた、適切な照明光を放出する発光部５０を構成することができる。また、複数の発光素子５２が、照明装置１０における外周部に配置されることになるため、例えば、複数の発光素子５２それぞれの放熱を効率よく行わせることができる。そのため、本実施の形態のように、発光素子５２としてＬＥＤ素子を採用した場合における、熱による発光効率の低下が抑制される。
【００４３】
また、本実施の形態に係る照明装置１０において、発光部５０の前端部である導光板５５の前端部における端面５６の少なくとも一部は、前後方向に対して傾いて形成されている。
【００４４】
このように、導光板５５における、照明光の照射対象に最も近い側の（つまり最も前方の）端面５６の少なくとも一部を傾斜させることで、例えば、導光板５５から出射される照明光の配光角を効率よく制御することができる。その結果、例えば、導光板５５の前端部が眩しく見える等の可能性が低減される。
【００４５】
なお、照明装置１０における発光部及び機能部の態様は、上記実施の形態で説明された態様には限定されない。そこで、以下に、照明装置１０における発光部及び機能部についての変形例を、上記実施の形態との差分を中心に説明する。
【００４６】
（変形例１）
図６は、実施の形態の変形例１に係る照明装置１０ａの構成概要を示す断面図である。なお、図６における断面位置は、上述の図５における照明装置１０の断面位置に準じており、点灯回路５４の図示は省略されている。これらの事項は、後述する図７〜図９でも同じである。また、図６では、スピーカ装置３０は、ハッチングを付した矩形により模式的に表されている。
【００４７】
図６に示す照明装置１０ａは、機能部としてのスピーカ装置３０と、発光部５０とを備えている。発光部５０は、前方（Ｚ軸プラス方向）から見た場合において、スピーカ装置３０を囲むように配置されている。この点に関し、本変形例に係る照明装置１０ａは、上記実施の形態に係る照明装置１０と共通する。
【００４８】
本変形例では、発光部５０が備える導光板５５ａは、前方に向かうに従って外側に広がる湾曲部５５ｂと、湾曲部５５ｂと接続され、前後方向と交差する方向に広がる発光面を形成する前面部５５ｃとを有している。この構成において、本変形例に係る照明装置１０ａは、上記実施の形態に係る照明装置１０と異なる。より具体的には、本変形例に係る導光板５５ａは、前後方向と直交する方向（ＸＹ平面に平行な方向）に広がる発光面を形成する前面部５５ｃを有している。
【００４９】
この構成によれば、発光部５０は、比較的に広い面である発光面から照明光を放出することができるため、照明装置１０ａを、例えば、リビングルームにおける主照明（例えば「シーリングライト」と呼ばれる）として使用することができる。
【００５０】
なお、例えば、導光板５５ａの前面部５５ｃにおける、発光面とは反対側（Ｚ軸マイナス側）の面に、発光面から効率よく光が放出されるように、微細な凹凸構造が形成されていてもよく、または、光を反射する反射膜が配置されていてもよい。
【００５１】
（変形例２）
図７は、実施の形態の変形例２に係る照明装置１０ｂの構成概要を示す断面図である。なお、センサ装置６０及びその構成要素については、点線により模式的に表されている。
【００５２】
図７に示す照明装置１０ｂは、受電部２１から供給される電力を用いて所定の動作を行う機能部としてセンサ装置６０を備えており、この点において、上記実施の形態に係る照明装置１０と異なる。
【００５３】
センサ装置６０は、センサケース６１と、周囲の状況を検出するセンサ６２と、センサ６２を制御するセンサ制御部６４と、無線通信部６５とを有する。センサ６２としては、例えば人物等の物体を検出する赤外線センサ、画像センサ、及びミリ波センサ、並びに、周囲の環境に関する値を検出する、温度センサ、湿度センサ、及び照度センサ等が例示される。
【００５４】
このように構成されたセンサ装置６０は、例えば、以下の動作を行う。無線通信部６５は、例えば専用リモコンまたはスマートフォン等の外部の装置から送信される制御信号を受信する。センサ制御部６４は、制御信号に応じてセンサ６２の動作を制御し、センサ６２による検出結果を、無線通信部６５を介して外部の装置に送信する。これにより、例えば、外部の装置は、照明装置１０ｂが配置された空間における人の有無、または、当該空間の温度または明るさ等の情報を取得することができる。
【００５５】
また、発光部５０は、センサ制御部６４から取得する、センサ６２による検出結果に応じた発光動作を行うことも可能である。例えば、赤外線センサであるセンサ６２による検出結果が、人が存在することを示す場合、発光部５０は、光源部５１を発光させる。その後、センサ６２による検出結果が、人が存在しないことを示す場合、発光部５０は、光源部５１の発光を停止させる。
【００５６】
本変形例に係る照明装置１０ｂは、このように、センサ装置６０による検出結果を外部の装置に通知することができる。また、照明装置１０ｂはセンサ装置６０による検出結果に応じた発光動作を行うことができる。
【００５７】
また、本変形例に係る照明装置１０ｂにおいて、発光部５０の前端部が、センサ装置６０よりも前方に位置するため、発光部５０から出射される照明光が、センサ装置６０に妨げられることがない。また、前方から見た場合において、センサ６２が照明装置１０ｂの中央部分に配置されることで、例えば、センサ装置６０の周囲の発光部５０（より詳細には導光板５５）が、センサ６２の検出範囲に与える影響を抑制することができる。さらに、発光部５０は、センサ装置６０を囲むように配置されるため、例えば、天井に取り付けられた照明装置１０を見上げた場合に、発光機能を持たないセンサ装置６０が暗く見える可能性が低減される。
【００５８】
（変形例３）
図８は、実施の形態の変形例３に係る照明装置１０ｃの構成概要を示す断面図である。なお、イオン発生器７０及びその構成要素については、点線により模式的に表されている。
【００５９】
図８に示す照明装置１０ｃは、受電部２１から供給される電力を用いて所定の動作を行う機能部としてイオン発生器７０を備えており、この点において、上記実施の形態に係る照明装置１０と異なる。
【００６０】
イオン発生器７０は、イオン発生器ケース７１と、空気中の水分に高電圧を加えることでイオンを生成するイオン生成部７２と、イオン生成部７２を制御する生成制御部７４とを有する。
【００６１】
このように構成されたイオン発生器７０は、例えば、以下の動作を行う。受電部２１からの電力供給が開始されると、生成制御部７４は、イオン生成部７２を動作させることで、イオンの生成を開始する。イオン生成部７２により生成されたイオンは、照明装置１０ｃが配置された空間に放出される。なお、イオン発生器７０によるイオンの生成及び放出のための動作は、発光部５０の発光動作と同期して行われてもよく、また、発光部５０の発光動作とは非同期に行われてもよい。例えば、専用リモコンまたはスマートフォン等の外部の装置から送信される制御信号によって、イオン発生器７０の動作が制御されてもよい。
【００６２】
本変形例に係る照明装置１０ｃは、このように、イオン発生器７０において生成されるイオンを、照明装置１０ｃが配置されている空間に放出することができ、これにより、例えば、当該空間における空気環境を改善することができる。
【００６３】
また、本変形例に係る照明装置１０ｃにおいて、発光部５０の前端部が、イオン発生器７０よりも前方に位置するため、発光部５０から出射される照明光が、イオン発生器７０に妨げられることがない。また、前方から見た場合において、イオンの放出位置を照明装置１０ｃの中央部分に配置することで、例えば、イオン発生器７０の周囲の発光部５０（より詳細には導光板５５）が、イオンの放出範囲に与える影響を抑制することができる。さらに、発光部５０は、イオン発生器７０を囲むように配置されるため、例えば、天井に取り付けられた照明装置１０ｃを見上げた場合に、発光機能を持たないイオン発生器７０が暗く見える可能性が低減される。
【００６４】
（変形例４）
図９は、実施の形態の変形例４に係る照明装置１０ｄの構成概要を示す部分断面図である。なお、図９において、本体部１２０は、スピーカ装置３０及び発光部１５０に近い部分のみ断面で図示し、受電部１２１に近い部分については側面で図示されている。
【００６５】
図９に示す照明装置１０ｄは、機能部としてのスピーカ装置３０と、発光部１５０とを備えている。発光部１５０は、前方（Ｚ軸プラス方向）から見た場合において、スピーカ装置３０を囲むように配置されている。この点に関し、本変形例に係る照明装置１０ｄは、上記実施の形態に係る照明装置１０と共通する。
【００６６】
本変形例では、発光部１５０は、複数の発光素子５２によって構成される光源部５１と、光源部５１を覆う光源カバー１５５とを有する。具体的には、発光部１５０は、スピーカ装置３０の外形に沿う形状の光源カバー１５５と、光源カバー１５５に覆われた複数の発光素子５２とを有する。光源カバー１５５は、発光部１５０の前端部を形成する前面部１５６を有する。前面部１５６は、複数の発光素子５２から離間して配置され、複数の発光素子５２からの光を透過させる。
【００６７】
このように、本変形例では、発光素子５２からの光を照明光として放出する部材として、導光板ではなく、発光素子５２の前方に光の通過空間を形成する光源カバー１５５が採用されている。光源カバー１５５は、例えば、光拡散粒子を分散させた樹脂材料によって形成された乳白色の透光性カバーであり、発光素子５２から放出された光を拡散して放出することができる。より具体的には、前面部１５６には、発光素子５２から直接的に向かってくる光に加え、光源カバー１５５内で１回以上反射した後の光が入射する。前面部１５６に入射した光は、前面部１５６で拡散されて放出される。これにより、発光部１５０から前方に向けて照明光が放出される。この場合であっても、スピーカ装置３０と発光部１５０とが横方向で隣り合う位置に配置されるため、発光部とスピーカ装置３０とを前後方向に並べる場合と比較すると、照明装置１０ｄの厚みを薄くすることができる。また、発光部１５０から出射される照明光が、スピーカ装置３０に妨げられず、かつ、発光部１５０が、スピーカ装置３０を囲むように配置されているため、発光機能を持たないスピーカ装置３０が暗く見える可能性が低減される。すなわち、外観上、照明装置１０ｄにおける暗部が形成され難い。このように、本変形例に係る照明装置１０ｄによれば、所定の動作を実行する機能部としてのスピーカ装置３０を備え、かつ、小型化が可能である。
【００６８】
なお、光源カバー１５５が光拡散粒子を分散させた樹脂材料で形成されることは必須ではない。例えば、光源カバー１５５の内面又は外面に、乳白色の光拡散膜または微小凹凸を形成することで光拡散機能が実現されてもよい。また、光源カバー１５５が光拡散機能を有することは必須ではなく、例えば、外観上、透明と認識される程度の可視光透過率を有する硝子または樹脂によって光源カバー１５５が形成されてもよい。
【００６９】
また、本変形例は、受電部１２１として、Ｅ２６口金などのスクリュー口金が採用されている。これにより、例えば、天井等に固定された給電器具だけでなく、テーブルまたは床面に置かれる電気スタンドが備える給電器具（ソケット）に、照明装置１０ｄを取り付けて使用することができる。なお、照明装置１０ｄは、スクリュー口金ではなく、実施の形態に係る受電部２１のような、一対のランプピンを有する受電部を備えてもよい。
【００７０】
また、本変形例では、光源カバー１５５は、スピーカ装置３０とは反対側の側壁を形成する側壁部１５７であって、複数の発光素子５２からの光の少なくとも一部を反射して前面部１５６に導く側壁部１５７を有する。具体的には、本変形例では、側壁部１５７は、前面部１５６と一体に設けられた部分であり、例えば光拡散粒子を分散させた樹脂材料により形成されている。従って、側壁部１５７は、複数の発光素子５２からの光の少なくとも一部を透過させることもできる。
【００７１】
これにより、光源カバー１５５は、発光部１５０が有する複数の発光素子５２からの光を、効率よく前面部１５６から前方に放出するとともに、側壁部１５７から側方に向けて放出することもできる。従って、上述のように、例えば電気スタンドのソケットに照明装置１０ｄを取り付けた場合、照明装置１０ｄは、電気スタンドが有するシェードに向けて光を放出することができる。これにより、シェードにおける光の反射または透過による、光の演出効果を得ることができる。
【００７２】
なお、本変形例に係る光源カバー１５５は、前面部１５６及び側壁部１５７と一体に設けられた内壁部１５８を有している。内壁部１５８は、光源カバー１５５におけるスピーカ装置３０側の側壁を形成する部分であり、本変形例は、側壁部１５７と同じく、複数の発光素子５２からの光の少なくとも一部を透過させることができ、かつ、複数の発光素子５２からの光の少なくとも一部を反射して前面部１５６に導くことができる。内壁部１５８からスピーカ装置３０側への光の放出が不要な場合は、例えば、内壁部１５８の内面を白色にすることで、前面部１５６及び側壁部１５７から放出される光の光量を増加させることも可能である。
【００７３】
また、光源カバー１５５において、前面部１５６、側壁部１５７、及び内壁部１５８が一体に設けられることは必須ではなく、それぞれ別の部材の組み合わせによって光源カバー１５５が形成されてもよい。
【００７４】
また、本変形例では、照明装置１０ｄは、機能部としてスピーカ装置３０を備えているが、照明装置１０ｄは、センサ装置６０または及びイオン発生器７０などの他の種類の機能部を備えてもよい。
【００７５】
（他の実施の形態）
以上、本発明に係る照明装置について、実施の形態及びその変形例に基づいて説明したが、本発明は、上記の実施の形態及び変形例に限定されるものではない。そこで、以下に、照明装置１０の一部または全部についての他の実施の形態を例示する。なお、以下で説明する他の実施の形態は、変形例１〜４に係る照明装置１０ａ〜１０ｄのそれぞれに適用されてもよい。
【００７６】
例えば、照明装置１０が備える基板２５は、複数の発光素子５２を実装するための光源用基板であってもよい。つまり、スピーカ装置３０等の機能部が有する回路、及び、点灯回路５４は、基板２５とは別の基板上に配置されてもよい。この場合、基板２５は、スピーカ装置３０等の機能部の外形に沿った環形状に形成されてもよい。また、環形状の基板２５は、環状に並べられた複数の基板によって構成されてもよい。
【００７７】
また、照明装置１０が備え得る機能部として、スピーカ装置３０、センサ装置６０、及びイオン発生器７０を例示したが、機能部の種類はこれらには限定されない。例えば、無線ＬＡＮ（Ｌｏｃａｌ  Ａｒｅａ  Ｎｅｔｗｏｒｋ）のルータまたはアクセスポイントである通信機器が、機能部として照明装置１０に備えられてもよい。また、例えば、音を出力するスピーカ装置としての機能、及び、周囲の状況を検出するセンサ装置としての機能等の複数の機能を有する機能部が照明装置１０に備えられてもよい。
【００７８】
いずれの場合であっても、照明装置１０は、例えば室内空間などの所定の空間を照らすために配置される装置であるため、その前方に、照明光を遮断する固定物が存在する可能性は低い。従って、機能部が発する音声、電波、光信号等は固定物に遮られる可能性は低く、また、機能部が取得（検出、受信）する音声、明るさ、電波等も固定物に遮られる可能性は低いと言える。すなわち、スピーカ装置３０等の機能部を、照明装置１０に備えさせることで、機能部を、期待される機能を発揮しやすい状態に置くことができる。
【００７９】
また、照明装置１０が備えるスピーカ装置３０等の機能部は、外部の装置と通信する場合、無線通信ではなく、信号線を介した有線通信を行ってもよい。
【００８０】
また、照明装置１０の構造が適用される照明装置の種類は、例えば、ダウンシーリングライトまたはシーリングライトには限定されない。例えば、吊り下げ式のペンダントライト、もしくは、屋外または屋内に設置されるスポットライト等に、照明装置１０の構造が適用されてもよい。
【００８１】
また、導光板５５に、例えば１以上の貫通孔（板厚方向に貫通する孔）が設けられてもよい。例えば、照明装置１０が、機能部としてスピーカ装置３０を備える場合、スピーカ装置３０から出力された音が、導光板５５の外周側に放出されやすいように、導光板５５に、複数の貫通孔が設けられてもよい。また、照明装置１０が、機能部としてイオン発生器７０を備える場合、イオン発生器７０から放出されたイオンが、導光板５５の外周側に放出されやすいように、導光板５５に、複数の貫通孔が設けられてもよい。
【００８２】
また、照明装置１０が備える受電部がＧＸ５３口金の構造を有することは必須ではない。例えば、照明装置１０の受電部は、ＧＨ７６ｐ口金に対応した構造であってもよい。つまり、照明装置１０が備える受電部は、例えば、接続相手であるソケットに着脱可能に取り付けることができ、かつ、電力を受け取ることができる構造であればよい。
【００８３】
また、照明装置１０が取り付けられるソケットが配置される構造物は天井以外であってもよい。例えば、室内もしくは屋外の壁面に配置されたソケット、または、当該壁面から延設された支持部材に支持されるソケットに照明装置１０が取り付けられてもよい。
【００８４】
また、発光素子５２は、ＳＭＤ形のＬＥＤ素子ではなく、ＬＥＤチップそのものであってもよい。つまり、発光部５０は、例えば、基板２５に直接実装された複数の発光素子５２（ＬＥＤチップ）が、蛍光体粒子を含有する透光性樹脂材によって封止されるＣＯＢ（Ｃｈｉｐ  Ｏｎ  Ｂｏａｒｄ）構造を有してもよい。
【００８５】
また、発光部５０が有する発光素子５２は、ＬＥＤチップまたはＬＥＤチップを用いた素子に限定されない。例えば、半導体レーザまたは有機ＥＬ（Ｅｌｅｃｔｒｏ  Ｌｕｍｉｎｅｓｃｅｎｃｅ）等、ＬＥＤチップ以外の固体発光素子が発光素子５２として用いられてもよい。
【００８６】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００８７】
１０、１０ａ、１０ｂ、１０ｃ、１０ｄ  照明装置
２１、１２１  受電部
３０  スピーカ装置（機能部）
５０、１５０  発光部
５２  発光素子
５５、５５ａ  導光板
５５ｂ  湾曲部
５５ｃ、１５６  前面部
５６  端面
６０  センサ装置（機能部）
７０  イオン発生器（機能部）
８０  ソケット
１５５  光源カバー
１５７  側壁部
１５８  内壁部
【図１】
2019167625.tif 000003
【図２】
2019167625.tif 000004
【図３】
2019167625.tif 000005
【図４】
2019167625.tif 000006
【図５】
2019167625.tif 000007
【図６】
2019167625.tif 000008
【図７】
2019167625.tif 000009
【図８】
2019167625.tif 000010
【図９】
2019167625.tif 000011
【国際調査報告】
2019167625.tif 000012
2019167625.tif 000013
2019167625.tif 000014
2019167625.tif 000015